(57)【要約】【課題】分離片のピッチを狭めることができる手段を提供する。【解決手段】プリンタ１１は、記録用紙が載置される給紙カセット２０と、給紙カセット２０から記録用紙を送り出す給送部２９と、給紙カセット２０の底板２１に対して傾斜された傾斜面２６を有する傾斜部材２４と、傾斜部材２４に一体に設けられた第１分離片５１と、第１分離片５１の間に対応した位置に配置された金属製の第２分離片５２と、を具備する。これにより、給紙カセット２０から給送される記録用紙の分離性能が向上される。【選択図】図２
2011073830.tif 000002
【特許請求の範囲】
【請求項１】
複数枚のシートが積層されて載置される載置面を有する載置部と、
給送されるシートの先端側に配置されており、上記載置面に対して傾斜された傾斜面を有する傾斜部材と、
上記載置部に載置されたシートを上記傾斜部材に案内させながら給送向きへ送り出す給送部と、
上記傾斜部材に一体に設けられ、先端が基端よりも給送向き下流側へ向かって延びて上記傾斜面から上記載置面側へ突出されており、上記給送向きに沿った方向に並べられて弾性変形可能な複数の第１分離片と、
上記給送向きに沿った方向において上記複数の第１分離片の間に対応した位置にそれぞれ形成された各開口から、先端が基端よりも給送向き下流側へ向かって延びて上記載置面側へ突出されており、上記給送向きに沿った方向に並べられて弾性変形可能な複数の金属製の第２分離片と、を具備するシート搬送装置。
【請求項２】
上記第１分離片は、その先端が、給送向き上流側に隣り合って配置された他の第１分離片の基端側より、給送向き下流側へ延出されたものである請求項１に記載のシート搬送装置。
【請求項３】
上記第１分離片は、上記第２分離片に対して、上記傾斜面において上記給送向きと直交する方向の側方に配置されたものである請求項１又は２に記載のシート搬送装置。
【請求項４】
上記第１分離片は、上記傾斜面において上記給送向きと交差する方向へ延出されたアーム形状のものである請求項３に記載のシート搬送装置。
【請求項５】
上記第２分離片が上記傾斜面から突出する寸法が、上記第１分離片が上記傾斜面から突出する寸法より小さい請求項１から４のいずれかに記載のシート搬送装置。
【請求項６】
請求項１から５のいずれかに記載のシート搬送装置と、
上記給送部によって搬送路へ供給されたシートに画像を記録する記録手段と、を備える画像記録装置。
【発明の詳細な説明】
【技術分野】
【０００１】
本発明は、載置部に載置されたシートをガイド部材に沿って給送するときに、分離片によって重送されたシートを分離するシート搬送装置、及びこのシート搬送装置が搭載された画像記録装置に関する。
【背景技術】
【０００２】
インクジェットプリンタなどの画像記録装置は、給紙トレイに収容されている記録用紙をローラの回転力によって画像記録部へ供給するシート搬送装置を備えている。ローラが給紙トレイ上の記録用紙に当接した状態で回転することにより、ローラの回転力が記録用紙に伝達され、給紙トレイから記録用紙が送り出される。この種のシート搬送装置において、給紙トレイ上の複数枚の記録用紙のうち一枚のみを給送するために、給紙トレイの先端側に設けられた傾斜ガイド面に、金属製の分離片が設けられた構成が知られている（特許文献１）。
【先行技術文献】
【特許文献】
【０００３】
【特許文献１】特開２００６−１８２４８１号公報
【発明の概要】
【発明が解決しようとする課題】
【０００４】
前述された分離片は、１枚の金属板を所定の形状に打ち抜き、金属板に対して複数の分離片を起立させるように折り曲げることによって形成されている。そして、傾斜ガイド面を形成するガイド板の裏側から、そのガイド板に形成された窓に各分離片がそれぞれ挿通されることによって、傾斜ガイド面から各分離片が突出されている。これら各分離片が傾斜ガイド面から突出する寸法は、記録用紙の分離性能を考慮して設定されるものであるが、各分離片が傾斜ガイド面から突出するように１枚の金属板から切り起こすように形成されるため、各分離片のピッチを狭めることには限界があった。
【０００５】
本発明は、前述された問題に鑑みてなされたものであり、分離片のピッチを狭めることができる手段を提供することを目的とする。
【課題を解決するための手段】
【０００６】
本発明に係るシート搬送装置は、複数枚のシートが積層されて載置される載置面を有する載置部と、給送されるシートの先端側に配置されており、上記載置面に対して傾斜された傾斜面を有する傾斜部材と、上記載置部に載置されたシートを上記傾斜部材に案内させながら給送向きへ送り出す給送部と、上記傾斜部材に一体に設けられ、先端が基端よりも給送向き下流側へ向かって延びて上記傾斜面から上記載置面側へ突出されており、上記給送向きに沿った方向に並べられて弾性変形可能な複数の第１分離片と、上記給送向きに沿った方向において上記複数の第１分離片の間に対応した位置にそれぞれ形成された各開口から、先端が基端よりも給送向き下流側へ向かって延びて上記載置面側へ突出されており、上記給送向きに沿った方向に並べられて弾性変形可能な複数の金属製の第２分離片と、を具備する。
【０００７】
金属製の第２分離片を所望の寸法だけ傾斜面から突出させ、かつ、その寸法より短いピッチで第１分離片を第２分離片の間に配置することができる。これにより、載置部から給送されるシートの分離性能が向上される。
【０００８】
また、例えば、合成樹脂によって第１分離片がガイド部材と一体に成形されると、シートの摺接に対して記録面が傷つけられるおそれが軽減される。一方、金属製の第２分離片によって、シートとの摺接による耐久性が高く、経時的に安定したシートの分離が実現される。
【発明の効果】
【０００９】
本発明によれば、ガイド部材に一体に設けられた複数の第１分離片の間に、複数の金属製の第２分離片が配置されたので、金属製の第２分離片を所望の寸法だけ傾斜面から突出させ、かつ、その寸法より短いピッチで第１分離片を第２分離片の間に配置することができる。これにより、載置部から給送されるシートの分離性能が向上され、かつ、分離に際して記録用紙を傷つけるおそれが軽減される。
【図面の簡単な説明】
【００１０】
【図１】本発明の実施形態に係るプリンタ１１の内部構成を示す模式図である。
【図２】傾斜部材２４の傾斜面２６側の外観構成を示す斜視図である。
【図３】図２におけるIII-III切断線の断面構造を示す断面図である。
【図４】図３におけるIV矢視領域の断面構造を示す拡大断面図である。
【図５】変形例における傾斜部材２４を示す模式図である。
【発明を実施するための形態】
【００１１】
以下、適宜図面が参照されながら、本発明の好ましい実施形態が説明される。なお、本実施形態は本発明の一例にすぎず、本発明の要旨が変更されない範囲で適宜変更され得る。
【００１２】
［プリンタ１１の内部構成］
図１に示されるように、プリンタ１１は、給紙カセット２０から給送された記録用紙が搬送される搬送路２３と、搬送路２３に設けられた記録部２５とを備えている。本実施形態では、プリンタ１１は、プリント機能のみを有するものとして説明されるが、プリント機能の他に、スキャン機能やファクシミリ機能、コピー機能などの各種の機能を有する複合機としてプリンタ１１が実現されてもよい。プリンタ１１が本発明に係るシート搬送装置を備えた画像記録装置に相当する。
【００１３】
なお、本実施形態においては、矢印１０１で示される方向がプリンタ１１の幅方向であり、矢印１０２で示される方向がプリンタ１１の高さ方向であり、矢印１０３で示される方向がプリンタ１１の奥行き方向である。
【００１４】
［給紙カセット２０］
図１に示されるように、給紙カセット２０は、プリンタ１１の正面側（図１における右側）から胴内空間１５へ奥行き方向１０３に沿って挿抜可能に設けられている。給紙カセット２０は、上面の一部が開口された矩形の箱状である。給紙カセット２０の底板２１上には、複数枚の記録用紙が積層された状態に載置される。給紙カセット２０に積載された記録用紙は、給紙ローラ３０によって搬送路２３に給送される。排紙トレイ２２は、給紙カセット２０の上面の一部として構成されている。搬送路２３から排出された記録用紙は、排紙トレイ２２に積載される。この給紙カセット２０が、本発明における載置部に相当する。底板２１の上面が、本発明における載置面に相当する。また、本実施形態において記録用紙は、本発明におけるシートの一例である。
【００１５】
給紙カセット２０における装置奥側には、底板２１に対して起立する傾斜部材２４が設けられている。傾斜部材２４は、底板２１に載置される記録用紙の先端側に配置されて、幅方向１０１に沿って延びる平板形状である。傾斜部材２４の上端側は、下端側より給送向き１０４の下流側に位置するように傾斜されており、この傾斜によって、記録用紙の先端が当接する傾斜面２６が、底板２１に載置される記録用紙に向かって形成されている。底板２１の上面は、記録用紙が給送される姿勢において水平面に近く、この上面と傾斜面とが所定の角度をなしている。傾斜部材２４の詳細な構成は後述される。
【００１６】
［搬送路２３］
図１に示されるように、搬送路２３は、記録用紙が湾曲されて案内される湾曲部３２と、記録用紙が直線状に延びて案内される直線部３３とを有する。湾曲部３２は、給紙カセット２０の奥側（図１における左側）から上方へ向かって延びながら装置正面側（図１における右側）へ湾曲している。直線部３３は、湾曲部３２から装置正面側へ向かって排紙トレイ２２付近まで直線状に延びている。記録用紙は給紙カセット２０から湾曲部３２及び直線部３３へ順次搬送される。この湾曲部３２及び直線部３３によって、搬送路２３は、いわゆるＵターンパスを形成している。
【００１７】
［給送部２９］
図１に示されるように、給送部２９は、給紙ローラ３０及びアーム３１を有する。給紙ローラ３０は、アーム３１の先端に回転自在に軸支されている。アーム３１は、幅方向１０１を軸方向とする支軸２８周りに回動可能である。給紙ローラ３０は、アーム３１の回動によって給紙カセット２０の内部空間へ進入して、底板２１に積載された最上位置の記録用紙と接触する。給紙ローラ３０は、不図示のモータから駆動伝達されて回転される。給紙ローラ３０が給紙カセット２０の記録用紙に圧接された状態で給紙ローラ３０が回転されると、給紙ローラ３０との摩擦力によって、最上位置の記録用紙が搬送路２３へ給送される。
【００１８】
前述された給送部２９及び給紙カセット２０によって、本発明に係るシート搬送装置が実現されている。
【００１９】
［搬送手段］
搬送路２３の直線部３３には、搬送ローラ４１及びピンチローラ４２が設けられている。搬送ローラ４１及びピンチローラ４２は、記録用紙の搬送向きにおいて記録部２５より上流側に配置されている。搬送ローラ４１及びピンチローラ４２は対をなしている。ピンチローラ４２は、搬送ローラ４１に対して接離可能であって、搬送ローラ４１に圧接するようにバネ付勢されている。搬送ローラ４１は、不図示のモータから駆動伝達されて回転される。搬送ローラ４１及びピンチローラ４２に挟持された記録用紙は、搬送ローラ４１の回転を受けて記録部２５へ向かって搬送される。
【００２０】
搬送路２３の直線部３３には、排紙ローラ４３及び拍車４４が設けられている。排紙ローラ４３及び拍車４４は、記録用紙の搬送向きにおいて記録部２５より下流側に配置されている。排紙ローラ４３及び拍車４４は対をなしている。拍車４４は、排紙ローラ４３に対して接離可能であって、排紙ローラ４３に圧接するようにバネ付勢されている。排紙ローラ４３は、不図示のモータから駆動伝達されて回転される。排紙ローラ４３の回転は搬送ローラ４１の回転と同期されている。排紙ローラ４３及び拍車４４に挟持された記録用紙は、排紙ローラ４３の回転を受けて排紙トレイ２２へ向かって搬送される。
【００２１】
［記録部２５］
図１に示されるように、記録部２５は、搬送路２３の直線部３３に配置されており、キャリッジ４６及びプラテン４７を備えている。キャリッジ４６は、直線部３３を挟んでプラテン４７の上側に配置されている。キャリッジ４６には、記録ヘッド４８が搭載されている。同図には現れていないが、記録ヘッド４８は、インク滴を吐出するノズルを有している。このノズルの開口がプラテン４７側へ露出された状態で、記録ヘッド４８がキャリッジ４６に搭載されている。
【００２２】
キャリッジ４６は、不図示のモータから駆動伝達されて、記録ヘッド４８とともに幅方向１０１（図１において紙面に垂直な方向）へ往復移動する。キャリッジ４６は、幅方向１０１へ延びるガイドレール３５と係合されていることによって奥行き方向１０３へ移動することがない。
【００２３】
キャリッジ４６が幅方向１０１へ移動されながら、記録ヘッド４８から微小なインク滴がプラテン４７上の記録用紙へ向かって選択的に吐出される。吐出されたインク滴が記録用紙に着弾することによって、記録用紙に画像が記録される。なお、インクは、図示されていないインクカートリッジから記録ヘッド４８へ供給される。この記録部２５が、本発明における記録手段に相当する。
【００２４】
［傾斜部材２４］
図２に示されるように、傾斜部材２４は、幅方向１０１へ細長な平板形状である。傾斜部材２４の幅方向１０１に沿った寸法は、給紙カセット２０に積載可能な最大サイズの記録用紙の幅より大きく設定されている。傾斜部材２４において、給紙カセット２０に積載された記録用紙側を向く面（図２において紙面に現れている面）が、本実施形態において傾斜面２６と称される。この傾斜面２６は、平面であっても、幅方向１０１に沿って若干湾曲された曲面であってもよい。傾斜面２６は、給送部２９によって送り出される記録用紙の先端と当接して、記録用紙を斜め上側へ案内する。記録用紙の案内を円滑にするために、傾斜面２６は、摺動抵抗の低い素材で構成される。
【００２５】
傾斜面２６が底板２１の上面に対して傾斜する角度は、給紙カセット２０の底面２１に載置された記録用紙が送り出されて、その先端が当接したときに、記録用紙が停止することなく撓んで、斜め上側へ進行方向を変えるに適した角度に設定されている。傾斜面２６が底板２１の上面に対してなす角度が９０°に近くなると、つまり、傾斜面２６が鉛直方向に沿った面に近づくと、記録用紙の先端が当接すると記録用紙が停止しやすくなり、いわゆる記録用紙の空送が生じやすくなる。一方、傾斜面２６が底板２１の上面に対してなす角度が０°に近くづくと、傾斜面２６の高さが低くなり、その結果、給紙カセット２０に積載可能な記録用紙の枚数が少なくなる。したがって、傾斜面２６の角度は、記録用紙の円滑な案内の実現と、給紙カセット２０に積載される枚数とを考慮して、適宜設定されている。
【００２６】
図２に示されるように、傾斜部材２４の傾斜面２６には、第１分離片５１及び第２分離片５２が設けられている。第１分離片５１は、傾斜部材２４と一体に形成された弾性変形可能なものである。例えば、傾斜部材２４が合成樹脂製であれば、第１分離片５１は、傾斜部材２４と一体に成形されたものである。複数の第１分離片５１が、幅方向１０１における給紙ローラ３０の中心と同じ位置であって、傾斜面２６における幅方向１０１の中央において、給送向き１０４に沿って一列に配置されている。
【００２７】
各第１分離片５１は、傾斜面２６から給紙カセット２０の底板２１へ向かって突出されている。第１分離片５１は、基端５４側から２つのアームが延出されて先端５３側において連結されたものである。図３に示されるように、各第１分離片５１は、傾斜面２６に対して給送向き１０４へ向かって斜めに突出されており、その突出向きの先端５３側が基端５４側より給送向き１０４の下流側へ向かって延びている。第１分離片５１は、記録用紙との当接によって傾斜面２６側へ倒伏するように弾性変形可能である。
【００２８】
図４に示されるように、各第１分離片５１が給送向き１０４へ突出する長さは、その給送向き１０４の下流側に隣り合って配置された別の第１分離片５１の基端５４より、その先端５３が給送向き１０４の下流側となる長さである。つまり、各第１分離片５１は、傾斜面２６に対して鉛直な方向から見たときに、給送向き１０４の下流側に隣り合って配置された別の第１分離片５１と一部がオーバーラップしている。したがって、先端５３は、給送向き１０４の下流側に隣り合って配置された別の第１分離片５１の基端５４における２つのアームの間に位置している。
【００２９】
図２に示されるように、各第１分離片５１は、一方のアームから他方のアームまでの幅方向１０１の幅が、基端５４側から先端５３側へ向かって次第に狭くなるような先細り形状である。換言すると、各第１分離片５１の外形は、傾斜面２６に対して鉛直な方向から見たときに、先端５３の幅が基端５４の幅より狭い台形である。また、各分離片５１は、その先端５３における底板２１側の角部がＲ加工がなされて曲面である。また、各分離片５１は、その先端５３側の傾斜面２６に対する角度が、基端５４側の傾斜面２６に対する角度より大きい。換言すれば、各分離片５１は、基端５４から先端５３へ向かう突出向きにおいて、傾斜面２６に対して更に起立するように曲折されている。
【００３０】
図４に示されるように、傾斜部材２４は、各第１分離片５１の少なくとも基端５４側の一部が没入可能な貫通孔５５を有する。この貫通孔５５は、各第１分離片５１における２つのアームの間の空間と連続している。貫通孔５５は、各第１分離片５１が傾斜面２６側へ倒伏するように弾性変形したときに、給送向き１０４の上流側に隣り合って配置された第１分離片５１の基端５４側が収納される空間である。また、貫通孔５５を通じて第２分離片５２が傾斜面２６から給紙カセット２０の底板２１側へ突出されている。この貫通孔５５が、本発明における開口に相当する。
【００３１】
図２に示されるように、傾斜部材２４の傾斜面２６には、各第１分離片５１の間から突出するように第２分離片５２が設けられている。第２分離片５２は、傾斜面２６における幅方向１０１の中央において、第１分離片５１と共に給送向き１０４に沿って一列をなすように配置されている。
【００３２】
図３及び図４に示されるように、第２分離片５２は、傾斜部材２４とは別体である金属製のバネ板材５０から形成されたものである。バネ板材５０は、１枚のバネ板材が打ち抜き及び折り曲げ加工されたものである。バネ板材５０の幅方向１０１の中央において、打ち抜き及び折り曲げ加工により複数の第２分離片５２が形成されている。第２分離片５２は、バネ板材５０から傾斜部材２４へ向かって起立し、貫通孔５５に挿通されて傾斜面２６に対して給送向き１０４へ向かって斜めに突出されており、その突出向きの先端５６側が、貫通孔５５付近の基端５７側より給送向き１０４の下流側へ向かって延びている。第２分離片５２は、記録用紙との当接によって傾斜面２６側へ倒伏するように弾性変形可能である。
【００３３】
図３に示されるように、傾斜部材２４における傾斜面２６と反対側の面２７には、その幅方向１０１（図３における紙面と垂直な方向）の中央に、バネ板材５０を固定するカバー５８が係合されている。カバー５８の幅方向１０１における長さは、バネ板材５０を完全に覆うことが可能な長さである。カバー５８が傾斜部材２４に組み付けられた状態において、バネ板材５０が若干弾性変形されており、バネ板材５０には、その弾性変形を復元させる力が作用して、第２分離片５２が貫通孔５５から突出する向きへ付勢されている。
【００３４】
図４に示されるように、各第２分離片５２が傾斜面２６に対して鉛直な方向へ傾斜面２６から突出する寸法Ｌ２は、第１分離片５１が同じ方向へ傾斜面２６から突出する寸法Ｌ１より小さい。また、第２分離片５２は１枚のバネ板材５０を切り起こしてなるものなので、第２分離片５２の基端５７から、それより給送向き１０４下流側に隣り合う別の第２分離片５２の基端５７までの間隔は、１つの第２分離片５２における基端５７から先端５６までの長さよりも長い。
【００３５】
［記録用紙の分離］
給紙カセット２０の装置正面側から底板２１上へ複数枚の記録用紙が挿入される。挿入された記録用紙は底板２１上を摺動して、その先端が傾斜面２６に当接する。記録用紙が給紙カセット２０へ勢いよく装填されると、その先端が傾斜面２６に沿って斜め上側へ進もうとするが、第１分離片５１又は第２分離片５２と当接することによって、給紙カセット２０から飛び出ることが防止される。
【００３６】
給送部２９が動作されると、給紙カセット２０の底板２１に載置された複数枚の記録用紙のうち最上位の記録用紙は、給紙ローラ３０の回転を受けて給送向き１０４へ送り出される。このとき、記録用紙間の摩擦や静電気などによって、最上位の記録用紙の下位にある記録用紙も、最上位の記録用紙と共に給送向き１０４へ送り出されることがある。それら記録用紙の先端は、傾斜面２６に沿って斜め上側へ案内される際に、少なくとも第１分離片５１又は第２分離片５２の一方と当接する。
【００３７】
記録用紙の先端は、第１分離片５１又は第２分離片５２に対して摺動しながら給送向き１０４へ進行する。第１分離片５１及び第２分離片５２は、その傾きによって、給送向き１０４に対していわばブレーキ的な役割を果たす。これによって、第１分離片５１又は第２分離片５２に対して摺動する記録用紙のうち、給送向き１０４へ送り出される力が弱い記録用紙、つまり、給紙ローラ３０と接触している最上位の記録用紙以外の記録用紙に対して、第１分離片５１又は第２分離片５２のブレーキ的な作用が発揮される。
【００３８】
１個の第１分離片５１又は第２分離片５２の作用によっても最上位以外の記録用紙が完全に止められずに、その第１分離片５１又は第２分離片５２を記録用紙の先端が乗り越えると、それらの記録用紙は、給送向き１０４の下流側に配置された次の第１分離片５１又は第２分離片５２と当接する。傾斜面２６に設けられた複数の第１分離片５１は、給送向き１０４において一部オーバーラップしているので、記録用紙の先端が第１分離片５１を乗り越えると、傾斜面２６に接触することなく次の第１分離片５１に当接する。したがって、各第１分離片５１間においても、常に記録用紙に対して、前述されたブレーキ的な作用が発揮される。
【００３９】
第２分離片５２は、第１分離片５１のようにオーバーラップしていないが、記録用紙の先端が次の第２分離片５２に到達すると、同様に、前述されたブレーキ的な作用が発揮される。仮に、全ての第２分離片５２を記録用紙の先端が乗り越えたとしても、第２分離片５２の給送向き１０４下流側には第１分離片５１が配置されているので、記録用紙の先端が第１分離片５１を乗り越えるたびに前述したブレーキ的な作用が繰り返されて、記録用紙の先端が捌かれる。
【００４０】
［本実施形態の作用効果］
本実施形態によれば、金属製の第２分離片５２を所望の寸法だけ傾斜面２６から突出させ、かつ第１分離片５１を第２分離片５２の間に配置することができる。これにより、給紙カセット２０から給送される記録用紙の分離性能が向上される。
【００４１】
また、第１分離片５１が合成樹脂製の傾斜部材２４と一体に成形されているので、第１分離片５１に対して記録用紙が摺動しても傷つけられるおそれが少ない。一方、金属製の第２分離片５２によって、記録用紙との摺接による耐久性が高く、経時的に安定した記録用紙の分離が実現される。
【００４２】
また、第１分離片５１は、その先端５３が、給送向き１０４上流側に隣り合って配置された他の第１分離片５１の基端５４側より、給送向き１０４下流側へ延出されているので、第１分離片５１の間隔を狭くして分離性能を向上させることができる。これにより、第１分離片５１による記録用紙の重送防止性能が高められる。
【００４３】
また、第２分離片５２が傾斜面２６から突出する寸法Ｌ２が、第１分離片５１が傾斜面２６から突出する寸法Ｌ１より小さいので、傾斜面２６に沿って送り出される記録用紙の記録面は、主として第１分離片５１に対して摺動し、第２分離片５２とは接触しにくくなる。これにより、給紙カセット２０から送り出されるときに、記録用紙の記録面が傷つけられるおそれが軽減される。
【００４４】
［変形例］
以下、前述された実施形態の変形例が説明される。変形例では、傾斜面２６における第１分離片５１の配置及び形状が異なり、その他の構成は前述された実施形態と同様である。したがって、ここでは第１分離片５１の配置及び形状について詳細な構成が詳述され、その他の構成についての説明が省略される。
【００４５】
図５に示されるように、傾斜部材２４の傾斜面２６における幅方向１０１の中央に複数の貫通孔６０が給送向き１０４に沿った方向に一列に形成されている。各貫通孔６０は、傾斜部材２４を厚み方向へ貫通するものである。この貫通孔６０を通じて、第２分離片５２が、傾斜面２６から底板２１側へ突出されている。
【００４６】
第２分離片５２に対して、傾斜面２６における幅方向１０１の両側に、第１分離片６１，６２がそれぞれ設けられている。なお、図５においては、参照符号が一部省略されているが、第１分離片６１は、第２分離片５２の右側に給送向き１０４に沿って一列に配置されており、第１分離片６２は、第２分離片５２の左側に給送向き１０４に沿って一列に配置されている。第１分離片６１，６２は、各々が、基端側から延出された１つのアームからなるものであり、それぞれのアームが給送向き１０４に対して交差する各方向に沿って、給送向き１０４へ向かって傾斜面２６から斜めに突出されている。第１分離片６１が突出される方向と第１分離片６２が突出される方向とは、傾斜面２６における幅方向１０１の中央であって、幅方向１０１における給紙ローラ３０の中心位置と同じ位置に対して左右対称な方向である。また、第１分離片６１及び第１分離片６２の給送向き１０４に沿った配置は、第１分離片６１と第１分離片６２とが交互に配置されている。
【００４７】
前述された第２分離片５２は、給送向き１０４に沿った方向に対して交互に配置されている第１分離片６１と第１分離片６２との間に対応する位置に配置されている。第１分離片６１、第１分離片６２及び第２分離片５２の配置を、それぞれが突出する先端の位置で比較すると、給送向き１０４に沿った方向に対して、第１分離片６１、第２分離片５２、第１分離片６２、第２分離片５２の順序が繰り返すように配置されている。
【００４８】
前述されたように、第１分離片６１，６２を第２分離片５２の側方に配置することによって、第１分離片６１，６２と第２分離片５２とのピッチを一層狭くすることが可能である。また、第１分離片６１，６２の突出方向を給送向き１０４と交差させることによって、第１分離片６１，６２に記録用紙の先端が摺接する距離を増加させることができる。
【００４９】
なお、本変形例では、第２分離片５２の幅方向１０１の両側に第１分離片６１，６２がそれぞれ配置されているが、第２分離片５２の一方の側方にのみ第１分離片６１又は第２分離片６２が配置されてもよい。また、第１分離片６１，６２が突出される方向は、給送向き１０４と交差する方向であれば適宜変更されてもよい。
【００５０】
また、傾斜部材２４は、記録用紙の先端側に配置されていればよく、必ずしも給紙カセット２０に一体に設けられる必要はない。したがって、例えば、給紙カセット２０とは独立して、プリンタ１１に設けられていてもよい。
【００５１】
また、第１分離片６１，６２の形状は適宜変更されてもよく、また、第２分離片５２の間に位置すれば、複数の第１分離片６１，６２は給送向き１０４においてオーバーラップしていなくてもよい。
【符号の説明】
【００５２】
１１・・・プリンタ（画像記録装置）
２０・・・給紙カセット（載置部）
２１・・・底板（載置面）
２３・・・搬送路
２４・・・傾斜部材
２５・・・記録部（記録手段）
２６・・・傾斜面
２９・・・給送部
５１，６１，６２・・・第１分離片
５２・・・第２分離片
５３・・・先端
５４・・・基端
５５，６０・・・貫通孔（開口）
５６・・・先端
５７・・・基端
【図１】
2011073830.tif 000003
【図２】
2011073830.tif 000004
【図３】
2011073830.tif 000005
【図４】
2011073830.tif 000006
【図５】
2011073830.tif 000007